(57)【要約】【課題】内部で収容物を十分に混合した後に注出可能な包装袋を提供する。【解決手段】包装袋１は、樹脂シート１００を重ねて周縁を閉じて形成される。包装袋１は、内部に収容物Ｓを収容可能な収容部４と、周縁に配されて収容物Ｓの取り出しが可能な注出部３と、収容部４の内部に配された混合部材４３と、を備える。混合部材４３は、収容物Ｓが透過可能であるとともに透過する収容物Ｓを細分化可能な構造を有する物質で形成されている。【選択図】図１
2020066462.tif 000002
【特許請求の範囲】
【請求項１】
樹脂シートから成る包装袋であって、
内部に収容物を収容可能な収容部と、
前記収容部の内部に配された混合部材と、を備え、
前記混合部材は、前記収容物が透過可能であるとともに透過する前記収納物を細分化可能な構造を有する物質で形成されている包装袋。
【請求項２】
前記樹脂シートを重ねて周縁を閉じて形成され、
前記周縁に配されて前記収容物の取り出しが可能な注出部をさらに備え、
前記混合部材は、前記収容部を前記注出部と隣接する部分と隣接しない部分とに分割する請求項１に記載の包装袋。
【請求項３】
前記樹脂シートを重ねて周縁を閉じて形成され、
前記周縁に配されて前記収容物の取り出しが可能な注出部をさらに備え、
前記混合部材は、前記注出部に隣接して配される請求項１に記載の包装袋。
【請求項４】
前記樹脂シートは、前記収容部に対して前方に配置される前面部と、後方に配置される後面部と、前記前面部の下部および前記後面部の下部と接着される底面部とを備え、
前記混合部材は、前記前面部および前記後面部に固定される請求項１から請求項３のいずれかに記載の包装袋。
【請求項５】
前記混合部材は、メッシュ材で形成される請求項１から請求項４のいずれかに記載の包装袋。
【請求項６】
前記混合部材は、多孔質体で形成される請求項１から請求項４のいずれかに記載の包装袋。
【請求項７】
前記収容物は流動性を有するとともに性質が異なる２種以上の物質を含み、
前記樹脂シートは、前記各物質の透過を抑制する材料で形成される請求項１から請求項６のいずれかに記載の包装袋。
【請求項８】
請求項７に記載の包装袋の使用方法において、前記収納物が前記混合部材を横切って前記第１収容室から前記第２収容室またはその反対に移動するように前記包装袋を振る動作を複数回繰り返して前記収容物を混合する包装袋の使用方法。
【発明の詳細な説明】
【技術分野】
【０００１】
本発明は、内部で収容物の混合が可能な包装袋に関する。
【背景技術】
【０００２】
例えば、特開２００５−１１２４５１号公報には、２以上の被包装物収容室を有する包装袋が開示されている。この包装袋は、積層フィルムを表裏重ねて外周縁部同士を融着接合している。そして、包装袋には中央縦シール部を挟んで２つの被包装物収容室が画成されている。
【０００３】
この包装袋では、仕切りシール部によって画成された被包装物収容室のそれぞれに異なる種類の被包装物が収容される。そして、中央縦シール部を折り曲げた状態で、２つの被包装物収容室に収容されている被収容物を手を汚すことなく同時にまたは個別に取り出すことが可能である。
【先行技術文献】
【特許文献】
【０００４】
【特許文献１】特開２００５−１１２４５１号公報
【発明の概要】
【発明が解決しようとする課題】
【０００５】
しかしながら、特開２００５−１１２４５１号公報に記載の包装袋は、異なる種類の被収容物を収容することが可能であるが、取出し前に被収容物同士を混ぜることはできない。そのため、混ぜた状態で使用したい被収容物を収容している場合、一旦、別の容器に取り出したのち、混ぜて使用する必要があり、使用者の利便性が低い。
【０００６】
本発明は、内部で収容物を十分に混合した後に注出可能な包装袋を提供することを目的とする。
【０００７】
また、本発明は、注出前の収容物を包装袋の内部で十分に混合させることができる包装袋の使用方法を提供することを目的とする。
【課題を解決するための手段】
【０００８】
上記目的を達成するために本発明の包装袋は、樹脂シートから成る。前記包装袋は、内部に前記収容物を収容可能な収容部と、前記収容部の内部に配された混合部材と、を備える。前記混合部材は、前記収容物が透過可能であるとともに透過する前記収納物を細分化可能な構造を有する物質で形成されていることを特徴とする。
【０００９】
このように構成することで、収納物が混合部材を通過するときに収納物が細分化される。これにより、収納物が混合（撹拌）されて、収納物のむらを抑制できる。また、収納物が混合物の場合、混合の効果を高めることができ、使用者の利便性を高めることができる。
【００１０】
上記構成において、前記樹脂シートを重ねて周縁を閉じて形成される。前記周縁に配されて前記収容物の取り出しが可能な注出部をさらに備える。前記混合部材は、前記収容部を前記注出部と隣接する部分と隣接しない部分とに分割するように配置されてもよい。このように配置することで、包装袋を上下または回転方向に移動させて振ることで、収納物が混合部材を通過する。これにより、容易に収納物を混合することができ、使用者の利便性を高めることができる。
【００１１】
上記構成において、前記混合部材は、前記注出部に隣接して配されてもよい。このように構成することで、注出部から収容物を注出するときに必ず混合部材を通過する。そのため、収容物をより確実に混合（撹拌）することができる。これにより、使用者は、混合（撹拌）のための操作を減らすことができるため、使用者の利便性をより高めることができる。
【００１２】
上記構成において、前記樹脂シートは、前記収容部に対して前方に配置される前面部と、背後に配置される後面部と、前記前面部の下部および前記後面部の下部と接着される底面部とを備え、前記混合部材は、前記前面部および前記後面部に固定されてよい。このように構成することで、包装袋を立てて保存することができる。また、底面部が設けられることで、収納物の収納量を多くすることができる。
【００１３】
上記構成において、前記混合部材は、メッシュ材であってもよいし、多孔質体であってもよい。
【００１４】
上記構成において、前記収容物は流動性を有するとともに性質が異なる２種以上の物質を含み、前記樹脂シートは、前記各物質の透過を抑制する材料で形成されてもよい。
【００１５】
上記構成の包装袋の使用方法において、前記収納物が前記混合部材を横切って前記第１収容室から前記第２収容室またはその反対に移動するように前記包装袋を振る動作を複数回繰り返して前記収容物を混合してもよい。包装袋では、収容物を混合するときの作業が簡単であり、使用者の利便性を高めることができる。
【発明の効果】
【００１６】
本発明の包装袋によると、注出前の収容物を包装袋の内部で十分に混合させることができる。これにより、使用者の利便性を高めることが可能である。
【００１７】
また、本発明は、注出前の収容物を包装袋の内部で十分に混合させることができる包装袋の使用方法を提供することができる。
【図面の簡単な説明】
【００１８】
【図１】実施形態の包装袋の正面図である。
【図２】図１に示す包装袋のＩＩ−ＩＩ線で切断した断面図である。
【図３】樹脂シートの断面図である。
【図４】包装袋の第２収容室から第１収容室へ収容物を移動させる動作を示す正面図である。
【図５】包装袋の第１収容室から第２収容室へ収容物を移動させる動作を示す正面図である。
【図６】実施形態にかかる包装袋の正面図である。
【図７】包装袋の第２収容室から第１収容室へ収容物を移動させる動作を示す正面図である。
【図８】包装袋の第１収容室から第２収容室へ収容物を移動させる動作を示す正面図である。
【図９】実施形態にかかる包装袋の正面図である。
【発明を実施するための形態】
【００１９】
＜第１実施形態＞
以下に図面を参照して本発明の実施形態を説明する。図１は、本実施形態の包装袋１の正面図である。図２は、図１に示す包装袋１のＩＩ−ＩＩ線で切断した断面図である。なお、「上」、「下」、「左」、「右」は、図１に示す状態を基準とする。また、「前」は図１において紙面手前とし、「後」は図１において紙面奥とする。また、図１に示す包装袋１では、熱接着部２１を斜線のハッチング、混合部材４３を格子のハッチングで示している。
【００２０】
包装袋１は所謂スタンディングパウチにより形成され、袋本体２および注出部３を備える。注出部３は樹脂により形成され、袋本体２の上部に取り付けられる。なお、注出部３の取り付けの詳細については、後述する。
【００２１】
袋本体２は透明な樹脂シート１００から成り、前面部５、後面部６および底面部８を備える。袋本体２の周縁には樹脂シート１００の内面に配した熱接着性樹脂層１７（図２参照）同士を熱接着した熱接着部２１が形成される。袋本体２の熱接着部２１で囲まれた内部には収容物Ｓを収容する収容部４が形成される。なお、収容物Ｓは、収容部４の内部を流動可能であるとともに、注出部３から注出可能な流動性を有する物質である。詳細は後述するが、本実施形態において収容物Ｓは、液体せっけんと空気とを含む物質である。
【００２２】
前面部５と後面部６とは互いに対向して配置したとき、前側から見て、左上部に上側に向かうにつれて右側に向かって傾斜した傾斜部５１および傾斜部６１を備える。前面部５および後面部６の左右側端の上部、傾斜部５１、傾斜部６１および上端部を熱接着して熱接着部２１が形成される。
【００２３】
底面部８は、樹脂シート１００を二つ折りして前面部５の下部と後面部６の下部との間に挟まれる。底面部８は、前面部５および後面部６の側端下部および下端部に熱接着部２１で熱接着される。なお、袋本体２の上端部は開放され、収容物Ｓを収容後に熱接着部２１により熱接着される。
【００２４】
また、底面部８の左右端部の熱接着部２１内には複数の未接着の未接着部９が設けられる。未接着部９によって熱接着処理時の熱収縮による底面部８のカール等を防止することができる。
【００２５】
ここで、樹脂シート１００について説明する。図３は、樹脂シート１００の断面図である。図３に示すように、樹脂シート１００は袋本体２の外側から内側に向かって順に基材層１１、中間層１５、熱接着性樹脂層１７を積層して形成される。基材層１１と中間層１５とは接着層１４を介して接着され、中間層１５と熱接着性樹脂層１７とは接着層１６を介して接着される。
【００２６】
基材層１１は、例えば、厚さ約９〜２５μｍの二軸延伸ポリプロピレン（ＯＰＰ）フィルムにより形成される。なお、基材層１１として例えば一軸または二軸に延伸したポリエステルフィルム、ポリオレフィンフィルム、ポリアミドフィルム等の熱可塑性樹脂を用いることができる。印刷層１２は基材層１１上の所定位置に配したインキにより厚さ約１〜５μｍに形成される。印刷層１２は、例えば、グラビア印刷により形成される。
【００２７】
中間層１５は例えば厚さ約１０〜２５μｍの透明樹脂フィルム１５ａの下面に透明蒸着膜１５ｂを蒸着した蒸着フィルムにより形成される。これにより、中間層１５は透明蒸着膜１５ｂによって水蒸気や酸素等のガスに対してガスバリア性を有する。透明樹脂フィルム１５ａは例えばポリエチレンテレフタレートフィルム、ポリエステルフィルム、ポリアミドフィルム等により形成される。透明蒸着膜１５ｂはシリカやアルミナ等により形成される。
【００２８】
熱接着性樹脂層１７は例えば厚さ約２５〜１５０μｍの直鎖状低密度ポリエチレン（ＬＬＤＰＥ）フィルムにより形成される。対向する熱接着性樹脂層１７が互いに熱接着されることにより熱接着部２１（図１、図２参照）が形成される。また、熱接着性樹脂層１７を低密度ポリエチレン（ＬＤＰＥ）フィルム、無延伸ポリプロピレン（ＣＰＰ）フィルム等により形成してもよい。
【００２９】
接着層１４および接着層１６は例えばアクリル系等の接着剤から成る。基材層１１と中間層１５とが接着層１４を用いたドライラミネート法により接着され、中間層１５と熱接着性樹脂層１７とが接着層１６を用いたドライラミネート法により接着される。なお、エクストルージョンコーター（不図示）等を用いた押出し法により接着層１４を介して基材層１１と中間層１５とを接着し、接着層１６を介して中間層１５と熱接着性樹脂層１７とを接着してもよい。このとき、接着層１４および接着層１６は、例えば、ポリエチレンフィルム等により形成される。
【００３０】
図１に戻り、注出部３について説明する。注出部３は、熱接着部２１のうち、傾斜部５１と傾斜部６１とを接着した部分（以下、傾斜接着部２１１とする）に取り付けられる。注出部３は、注出部本体３１と、蓋部３２とを備える。注出部本体３１は、傾斜接着部２１１に取り付けられて袋本体２に固定される。蓋部３２は、注出部本体３１に着脱可能に取り付けられる。
【００３１】
注出部本体３１は、接着基部３１１と、注出口３１２とを備える。接着基部３１１は、傾斜接着部２１１を熱接着するときに、一緒に熱接着される。これにより、接着基部３１１は、傾斜接着部２１１に固定される。なお、接着基部３１１は、上部にリブを備えている。接着基部３１１において、リブは袋本体２の外部に露出して配置される。これにより、接着基部３１１は、傾斜接着部２１１に位置決めされるとともに、ずれが抑制される。
【００３２】
注出口３１２は、接着基部３１１と一体に成形される。注出口３１２は、接着基部３１１の外部に露出した部分、ここでは、リブと連結される。接着基部３１１および注出口３１２は、いずれも筒状である。そして、接着基部３１１の内部の空間と注出口３１２の内部の空間とは連通している。包装袋１において収容部４は、注出部本体３１を介して外部と連通される。これにより、収容部４は注出部３を介して、収容物Ｓを外部に注出可能な状態となる。すなわち、注出部本体３１は、包装袋１の収容部４に収容されている収容物Ｓを取り出す開口としての役割を果たす。
【００３３】
蓋部３２は、一端が閉じられた有蓋円筒形状である。注出口３１２は、外面に不図示の雄ねじを備える。蓋部３２の内面は雄ねじと螺合する不図示の雌ねじを備える。蓋部３２は注出口３１２に着脱可能に取り付けられる。蓋部３２の脱着によって、注出部３は開閉される。そして、注出部３の開閉により収容部４が開閉される。
【００３４】
次に収容部４の詳細について説明する。図１、図２に示すように、収容部４は、袋本体２の内部に形成され、収容物Ｓを収容可能な空間である。収容部４は、第１収容室４１と、第２収容室４２と、混合部材４３とを備える。
【００３５】
第１収容室４１と第２収容室４２とは、それぞれ、上下に並んで配置されている。そして、混合部材４３によって、上下に仕切られている。図１、図２に示すように、第１収容室４１は注出部３と隣接し、第２収容室４２は底面部８と隣接する。
【００３６】
混合部材４３は、収容物Ｓが透過可能な物質で形成される。ここでは、混合部材４３は、不織布であり、収容物Ｓは混合部材４３を通過するときに、混合部材４３にて細かく分割（細分化）される。すなわち、収容物Ｓは、混合部材４３によって混合（撹拌）される。本実施形態の包装袋１に収容される収容物Ｓは、収容部４の内部を流動可能な流動性を有する異なる２種以上の物質を含む構成である。
【００３７】
そのため、混合部材４３を通過するときに、収容物Ｓを構成する物質は混合（撹拌）される。混合部材４３は、シート状であり、熱接着部２１と同様、前面部５と後面部６とに熱接着にて固定される。包装袋１において、混合部材４３は前後方向の中央が上になるように折り曲げられて、収容部４の内部に取り付けられる。混合部材４３は、複数回折り曲げた形状、いわゆる、アコーディオン状で収容部４の内部に取り付けられてもよい。収容部４の内部に、確実に固定できる構成を広く採用できる。
【００３８】
なお、混合部材４３は、不織布に限定されず、例えば、スポンジ等の多孔質体、ニット、メッシュ等の格子状の物質等を挙げることができるが、これに限定されない。混合部材４３としては、収容物Ｓが通過するときに、収容物Ｓを混合（撹拌）することができる物質で形成されたものを広く採用できる。また、混合部材４３は、収容部４を第１収容室４１と第２収容室４２に仕切ることができる構成であればよく、シート状に限定されない。
【００３９】
本実施形態にかかる包装袋１は、以上のような構成を備える。次に、包装袋１の使用方法について図面を参照して説明する。図４は、包装袋１の第２収容室４２から第１収容室４１へ収容物Ｓを移動させる動作を示す正面図である。図５は、包装袋１の第１収容室４１から第２収容室４２へ収容物Ｓを移動させる動作を示す正面図である。図４および図５において、混合される前の収容物Ｓは、粗いドットハッチで表示し、混合が行われた収容物Ｓは、細かいドットハッチで表示している。また、図中の白抜きの矢印は、包装袋１の移動方向および収容物Ｓの混合部材４３内における移動方向を示している。
【００４０】
本実施形態において、収容物Ｓは、液体せっけんと空気とからなる混合物である。なお、空気は、液体せっけんを充填するときに一緒に入った空気であってよい。また、液体せっけんを泡立てるために適切な量の空気を充填してもよい。さらには、酸化等の劣化を抑制するために、窒素ガス、炭酸ガス等の不活性ガスを充填してもよい。
【００４１】
包装袋１に収容されている収容物Ｓである液体せっけんは、例えば、顔、手足、体等を洗うために用いられる。このとき、使用者は、液体せっけんを泡立てた後、泡立てられた液体せっけんを対象部分に付着させて洗う。本実施形態の包装袋１では、予め泡立てた液体せっけんを注出部３から注出できる。本実施形態の包装袋１の使用方法の一つである、液体せっけんの泡立て方法、すなわち、収容物の混合方法について説明する。
【００４２】
上述したとおり、包装袋１はスタンディングパウチである。例えば、包装袋１は、収納棚等に、起立した状態で収納される。そのため、本実施形態の包装袋１では、使用前の状態において液体せっけんは第２収容室４２に収容される。また、空気は、第１収容室４１および第２収容室４２に溜まっている。
【００４３】
図４に示すように、使用者は、手で第１収容室４１が上部、第２収容室４２が下部となるように包装袋１の側部を把持する。そして、使用者が手を上方に移動した後、手を止めることで慣性力によって液体せっけんは、上方に移動する。このとき、液体せっけんは空気と共に混合部材４３を通過し、混合（撹拌）されて第１収容室４１に移動する。液体せっけんは表面張力が低いため、液体せっけんと空気とが混合されることで気泡（泡）が発生する。
【００４４】
次に、図５に示すように、使用者が手を下方に移動させた後に、手を止めることで慣性力によって液体せっけんは、下方に移動する。このとき、液体せっけんは空気と共に混合部材４３を通過し、混合（撹拌）されて第２収容室４２に移動する。さらに、液体せっけんが空気と混合（撹拌）される。これにより、液体せっけんは、第２収容室４２に流入するときに泡が小さくなるとともに多くなる（細かくなる）。
【００４５】
このように、使用者が、包装袋１を把持した手を上下に移動させることで、包装袋１の内部の収容物Ｓ、すなわち、液体せっけんは、泡立つ。なお、上述では、上方への移動後、下方への移動後に停止するとしているが、実際の使用状態では、上方への移動が終了した後、すぐに下方に移動させ、下方への移動が終了した後すぐに上方に移動させる往復動作（振り）を行っている。この場合も、袋本体２の移動方向が切り替わったとき、袋本体２の移動方向と、収容物Ｓに作用している慣性力の方向が逆になっているため、停止させた時と同じ効果を得ることが可能である。
【００４６】
そして、液体せっけんが十分に泡立てられたのちに、使用者は、注出部３の蓋部３２を開き、注出口３１２から泡立てられた液体せっけんを取り出すことができる。これにより、液体せっけんを包装袋１から注出した後、泡立てる道具が不要であるとともに、泡立てる手間を省略できる。また、包装袋１の収容部４の内部に収容されている状態で液体せっけんと空気とを混合する。そのため、使用者は、例えば、子供や知人のために液体せっけんおよび空気（収容物）を混合する場合に、液体せっけん（収容物）に触れることなく泡立て可能である。これらのことから、本実施形態の包装袋を使用することで、使用者の利便性を高めることが可能である。
【００４７】
なお、本実施形態において、収容物Ｓとして、液体せっけんと空気との混合物を例に説明したが、これに限定されない。例えば、しょうゆ、ソース等の調味液のように、従来、液体として使用していた物質に発泡しやすい加工を施し、泡立てて注出するときに用いてもよい。このようにすることで、空気と絡むことで調味液の食感を変更する（例えば、やわらかくする）ことができる。また、泡立てることで表面積が大きくなるため、調味液の使用量を抑えることができる。すなわち、新しい食感を楽しむことができるとともに、健康維持に貢献できる。
【００４８】
また、調味液と油を用いるドレッシングのように２種の混ざりにくい液体であってもよい。このような、２種の液体の場合、液体同士を混ぜ合わせることができるとともに、種類によっては乳化させることも可能である。
【００４９】
以上示したとおり、収容物Ｓとしては、包装袋１の内部で十分に混合した後、注出して使用するような物質を広く採用できる。そして、包装袋１としては、複数の物質を混合させたり、液体を気体と混合して泡立てたりして注出される収容物を収容できるものを広く採用できる。
【００５０】
本実施形態の包装袋１において、収容物Ｓは混合部材４３を通過するときに、混合される。そして、包装袋１は、前面部５または後面部６の少なくとも一方に、収容物Ｓの混合状態（上述の液体せっけんの場合、泡立ちの状態）を確認するための窓部を備えていることが好ましい。窓部は、透明な樹脂で形成されており、外部から収容部４の内部を視認できる。このように、窓部を備えることで、使用者は、収容物Ｓの混合状態を容易に確認でき、使用者の利便性を高めることができる。
【００５１】
そして、使用者は、窓部から混合状態を確認して、好みの混合状態（上述の液体せっけんの場合、泡立ちの状態）の収容物Ｓを注出部３から注出することが可能である。また、、例えば、収容物Ｓの一部が混合した状態のとき、混合していない収容物Ｓは、収容部４内で下方に溜まる。このことを利用して、最初、十分に混合された収容物Ｓを注出部３から注出し、その後、注出部３を下部になるように包装袋１を傾けて混合が不十分な収容物Ｓを注出してもよい。このようにすることで、十分に混合された収容物Ｓと、混合されていない（あまりされていない）収容物Ｓとを同じ場所に注出することが可能である。
【００５２】
例えば、収容物Ｓがコーヒーに添加するミルクとすると、同じコーヒーに液体のミルクと泡立てたミルクの両方を添加することができ、異なる味覚を同時に楽しむことができる。これにより、使用者の利便性が高くなる。なお、収容物Ｓとしては、コーヒー用のミルクに限定されず、混合しているものおよび混合していないものの両方を使用するような物質を広く採用できる。
【００５３】
＜第２実施形態＞
本実施形態の包装袋の他の例について図面を参照して説明する。図６は、本実施形態にかかる包装袋１ｂの正面図である。図６に示す包装袋１ｂは、混合部材４４が混合部材４３と異なる以外、包装袋１と同じ構成を有する。そのため、包装袋１ｂにおいて、包装袋１と実質上同じ部分については、同じ符号を付すとともに同じ部分の詳細な説明は省略する。
【００５４】
図６に示すように、包装袋１ｂは、収容部４ｂを斜めに横切るように混合部材４４が配置されている。そして、収容部４ｂでは、図６において、混合部材４４よりも右側を第１収容室４１ｂとし、左側を第２収容室４２ｂとしている。換言すると、混合部材４４を挟んで、注出部３側が第２収容室４２ｂであり、反対側が第１収容室４１ｂである。
【００５５】
図６に示すように、包装袋１ｂでは、混合部材４４の下端部は、収容部４ｂの下端部から離れて配置されている。そのため、収容部４ｂにおいて、第１収容室４１ｂと第２収容室４２ｂとは、下部で連通している。混合部材４４は、混合部材４３と同様、シート状であり、折り曲げられて、前面部５および後面部６に固定されている。混合部材４４は、混合部材４３と同様の特徴を有するものであり、詳細な説明は省略する。
【００５６】
次に本実施形態にかかる包装袋１ｂの使用方法について図面を参照して説明する。図７は、包装袋１ｂの第２収容室４２ｂから第１収容室４１ｂへ収容物Ｓを移動させる動作を示す正面図である。図８は、包装袋１ｂの第１収容室４１ｂから第２収容室４２ｂへ収容物Ｓを移動させる動作を示す正面図である。図７および図８において、混合される前の収容物Ｓは、粗いドットハッチで表示し、混合が行われた収容物Ｓは、細かいドットハッチで表示している。また、図中の白抜きの矢印は、包装袋１の移動方向および収容物Ｓの混合部材４４内における移動方向を示している。
【００５７】
本実施形態において、収容物Ｓは、液体せっけんと空気とからなる混合物である。なお、空気は、液体せっけんを充填するときに一緒に入った空気であってよい。本実施形態の包装袋１の使用方法の一つである、液体せっけんの泡立て方法、すなわち、収容物の混合方法について説明する。
【００５８】
上述したとおり、包装袋１ｂは、包装袋１と同様、振ることで液体せっけんと空気とが混合部材４４を通過し、液体せっけんと空気とが混合（撹拌）されて泡立つ。使用者が包装袋１ｂを振る場合、図４および図５に示すように、長手方向に直線的に往復移動させて振ることが考えられる。また、これ以外にも、例えば、手首を軸周りに回転させることで手のひらで把持した包装袋１ｂを回転させて振ることも考えられる。本実施形態の包装袋１ｂでは、回転させて振る場合に用いられる。なお、包装袋１ｂの外面に、振り方（振る方向）が表示されていてもよい。
【００５９】
まず、図７に示すように、使用者は、注出部３が上部になるように、包装袋１ｂの側部を把持する。そして、使用者が手を振って包装袋１ｂを時計回り方向（図７中ＣＷ）に回転させる。この回転によって収容部４ｂ内の液体せっけんは遠心力で上部に移動する。なお、第２収容室４２ｂが第１収容室４１ｂよりも移動方向の後方側、すなわち、時計回り方向ＣＷにおいて後側になるため、液体せっけんの多くが第２収容室４２ｂの上部に移動する。そして、手を止めることで慣性力によって液体せっけんは、時計回り方向ＣＷに移動する。このとき、液体せっけんは空気と共に混合部材４４を通過し、混合（撹拌）されて第１収容室４１ｂ側に移動する。液体せっけんは表面張力が低いため、液体せっけんと空気とが混合されることで気泡（泡）が発生する。
【００６０】
次に、図８に示すように、使用者が手を反時計回り方向（図８中ＣＣＷ方向）に移動させることで、遠心力により液体せっけんは第１収容室４１ｂの上部に移動する。そして、手を止めることで慣性力によって液体せっけんは、反時計回り方向ＣＣＷに移動する。このとき、液体せっけんは空気と共に混合部材４４を通過し、混合（撹拌）されて第２収容室４２ｂに移動する。さらに、液体せっけんが空気と混合（撹拌）される。これにより、液体せっけんは、第２収容室４２ｂに流入するときに泡が小さくなるとともに多くなる（細かくなる）。
【００６１】
そして、液体せっけんが十分に泡立てられた後に、使用者は、注出部３の蓋部３２を開き、注出口３１２から泡立てられた液体せっけんを取り出すことができる。以上のとおり、包装袋１を用いることで、使用者は手を汚すことなく、また、泡立て用の器具を用いることなく、泡立てられた液体せっけんを使用できる。
【００６２】
このように、使用者が、手首を軸周りに回転させることで、包装袋１ｂは回転方向に往復移動される。これにより、包装袋１ｂの内部の収容物Ｓ、すなわち、液体せっけんは、泡立つ。なお、上述では、時計回り方向ＣＷへの移動後、反時計回り方向ＣＣＷへの移動後に停止するとしているが、実際の使用状態では、時計回り方向ＣＷへの移動と反時計回り方向ＣＣＷの移動は連続して行われる。
【００６３】
これにより、収容部４ｂの内部の収容物Ｓは、遠心力で、常に収容部４ｂの上部に位置する。包装袋１ｂにおいて混合部材４４を収容部４ｂを斜めに横切るように配置することで、１回の移動における混合部材４４を収容物Ｓが通過する範囲を大きくできる。これにより、収容物Ｓを効率よく混合（撹拌）することができる。なお、混合部材４４の形状及び配置については、包装袋１ｂの移動時における収容物Ｓの移動に合わせて配置されることが好ましい。具体的には、包装袋１ｂを回転方向に移動させる場合の半径に沿って配置するとともに、なるべく長くなるように配置することで効率よく混合（撹拌）が可能となる。
【００６４】
これ以外の特徴については、第１実施形態と同じである。
＜第３実施形態＞
本実施形態の包装袋の他の例について図面を参照して説明する。図９は、本実施形態にかかる包装袋１ｃの正面図である。図９に示す包装袋１ｃは、収容部４ｃが混合部材４５を備える以外、包装袋１と同じ構成を有する。そのため、包装袋１ｃにおいて、包装袋１と実質上同じ部分については、同じ符号を付すとともに同じ部分の詳細な説明は省略する。なお、包装袋１ｃの傾斜部５１および６１の長さは、包装袋１の傾斜部５１および６１よりも短いが、構成は実質上同じであるため、同じ符号を付すとともに、詳細な説明は省略する。
【００６５】
図９に示すように、包装袋１ｃの収容部４ｃは、１つの空間で形成されて内部に配置された混合部材４５を備える。図９に示すように、混合部材４５は、収容部４ｃの注出部３と隣接する部分を囲むように配置される。これにより、収容部４ｃの内部に収容されている収容物Ｓが注出部３から注出されるときに、混合部材４５を通過する。収容物Ｓは、混合部材４５にて混合（撹拌）されて、注出部３から外部に注出される。例えば、上述と同じく、収容物Ｓが液体せっけんと空気の場合、混合部材４５を通過するときに、液体せっけんと空気とが混合されて泡立てられて、注出部３から注出される。
【００６６】
包装袋１ｃでは、袋本体２を掴み、収容部４ｃの内部の収容物Ｓを加圧することで、収容物Ｓを注出部３から外部に注出させる。このとき、収容物Ｓは、混合部材４５で混合（撹拌）する。収容物Ｓが混合部材４５を通過するときの速度が高いほど、すなわち、収容部４ｃ内部における収容物Ｓの圧力が強いほど、混合（撹拌）の効果が高い。例えば、収容物Ｓが液体せっけんと空気の場合、細かい泡が生成される。
【００６７】
そして、注出部３の収容物Ｓが通過する断面積が、ある程度小さい方が、収容部４ｃ内での収容物Ｓの圧力が高くなる。そのため、包装袋１ｃでは、注出部３の断面積が、ある程度小さいことが好ましい。
【００６８】
なお、混合部材４５は、前面部５および後面部６に固定されていてもよいし、注出部３に固定されていてもよい。
【００６９】
包装袋１ｃでは、包装袋を振る等の操作を行わなくても、収容物Ｓを混合（撹拌）することが可能である。これにより、使用者の利便性が高くなる。また、これ以外の特徴については、第１実施形態および第２実施形態と同じである。
【００７０】
なお、第１実施形態から第３実施形態の包装袋１、１ｂ、１ｃはいずれもスタンディングパウチであるが、これに限定されない。例えば、所謂、四方シール袋、三方シール袋、ピロー袋等により形成されてもよい。
【００７１】
また、第１実施形態から第３実施形態の包装袋１、１ｂ、１ｃはいずれも注出部３を備えた構成であったが、これに限定されない。例えば、熱接着部２１にノッチ等の切断補助部を設け、収容物Ｓを注出するときに切断補助部で袋本体２を引裂いて、注出口を形成するようにしてもよい。さらに、包装袋１ｃでは、混合部材４５を形成される注出口と隣接して配置してよい。
【００７２】
本明細書中に開示されている種々の技術的特徴は、その技術的創作の主旨を逸脱しない範囲で種々の変更を加えることが可能である。また、本明細書中に示される複数の実施形態および変形例は可能な範囲で組み合わせて実施されてよい。
【００７３】
上述の構成の包装袋１（１ｂ、１ｃ）は、樹脂シート１００から成る。包装袋１（１ｂ、１ｃ）は、内部に収容物Ｓを収容可能な収容部４（４ｂ、４ｃ）と、収容部４（４ｂ、４ｃ）の内部に配された混合部材４３（４４、４５）と、を備える。混合部材４３（４４、４５）は、収容物Ｓが透過可能であるとともに透過する収容物Ｓを細分化可能な構造を有する物質で形成されている。
【００７４】
このように構成することで、収容物Ｓが混合部材４３（４４、４５）を通過するときに収納物が細分化される。これにより、収容物Ｓが混合（撹拌）されて、収容物Ｓのむらを抑制できる。また、収容物Ｓが混合物の場合、混合の効果を高めることができ、使用者の利便性を高めることができる。
【００７５】
上記構成において、包装袋１（１ｂ、１ｃ）は、樹脂シート１００を重ねて周縁を閉じて形成される。そして、周縁には、収容物Ｓの取り出しが可能な注出部３が配される。混合部材４３（４４）は、収容部４（４ｂ）を注出部３と隣接する部分４１（４２ｂ）と隣接しない部分４２（４１ｂ）とに分割するように配置されてもよい。このように配置することで、包装袋１（１ｂ）を上下または回転方向に移動させて振ることで、収容物Ｓが混合部材４４（４５）を通過する。これにより、容易に収容物Ｓを混合することができ、使用者の利便性を高めることができる。
【００７６】
上記構成において、混合部材４５は、注出部３に隣接して配されてもよい。このように構成することで、注出部３から収容物Ｓを注出するときに必ず混合部材４５を通過する。そのため、収容物Ｓをより確実に混合（撹拌）することができる。これにより、使用者は、混合（撹拌）のための操作を減らすことができるため、使用者の利便性をより高めることができる。なお、混合部材４５は、注出部３と連結されていてもよい。
【００７７】
上記構成において、樹脂シート１００は、収容部４（４ｂ、４ｃ）に対して前方に配置される前面部５と、後方に配置される後面部６と、前面部５の下部および後面部６の下部と接着される底面部８とを備え、混合部材４３（４４、４５）は、前面部５および後面部６に固定されてよい。このように構成することで、包装袋１（１ｂ、１ｃ）を立てて保存することができる。また、底面部８が設けられることで、収納物の収納量を多くすることができる。
【００７８】
上記構成において、混合部材４３（４４、４５）は、メッシュ材であってもよいし、多孔質体であってもよい。
【００７９】
上記構成において、収容物Ｓは流動性を有するとともに性質が異なる２種以上の物質を含み、樹脂シート１００は、各物質の透過を抑制する材料で形成されてもよい。
【００８０】
上記構成の包装袋１（１ｂ）の使用方法において、収容物Ｓが混合部材４３（４４）を横切って第１収容室４１（４１ｂ）から第２収容室４２（４２ｂ）またはその反対に移動するように包装袋１（１ｂ）を振る動作を複数回繰り返して収容物Ｓを混合してもよい。包装袋１（１ｂ）では、収容物Ｓを混合するときの作業が簡単であり、使用者の利便性を高めることができる。
【産業上の利用可能性】
【００８１】
本発明によると、液体と気体の混合物、異なる２種以上の液体の混合物等、異なる性質を有する複数種の流動体を含む収容物を収容する包装袋に利用することができる。
【符号の説明】
【００８２】
１      包装袋
１ｂ    包装袋
１ｃ    包装袋
１１      基材層
１２      印刷層
１４      接着層
１５      中間層
１５ａ    透明樹脂フィルム
１５ｂ    透明蒸着膜
１６      接着層
１７      熱接着性樹脂層
２      袋本体
２１      熱接着部
３      注出部
３１      注出部本体
３２      蓋部
４      収容部
４１      第１収容室
４２      第２収容室
４３      混合部材
４ｂ    収容部
４１ｂ    第１収容室
４２ｂ    第２収容室
４４      混合部材
４ｃ    収容部
４５      混合部材
５      前面部
５１      傾斜部
６      後面部
６１      傾斜部
８      底面部
９      未接着部
１００      樹脂シート
２１１      傾斜接着部
３１１      接着基部
３１２      注出口
ＣＣＷ      反時計回り方向
ＣＷ      時計回り方向
Ｓ      収容物
【図１】
2020066462.tif 000003
【図２】
2020066462.tif 000004
【図３】
2020066462.tif 000005
【図４】
2020066462.tif 000006
【図５】
2020066462.tif 000007
【図６】
2020066462.tif 000008
【図７】
2020066462.tif 000009
【図８】
2020066462.tif 000010
【図９】
2020066462.tif 000011